【手続補正書】
【提出日】平成26年9月16日(2014.9.16)
【手続補正１】
【補正対象書類名】特許請求の範囲
【補正対象項目名】全文
【補正方法】変更
【補正の内容】
【特許請求の範囲】
【請求項１】
撮像手段を用いて動画データを取得する取得手段と、
メモリと、
動画データを含む動画ファイルを記録媒体に記録する記録手段と、
前記取得手段により得られた動画データを順次前記メモリに記憶させ、記録の指示に応じて、前記記録の指示の前に前記メモリに記憶された所定時間分の前記動画データを前記記録媒体に記録するとともに、前記記録媒体に既に記録されている所定の動画ファイルに前記所定時間分の動画データを追加するように前記記録手段を制御する制御手段とを備え、
前記制御手段は、前記記録手段が前記メモリに記憶された前記所定時間分の動画データの記録を開始した後、前記所定の動画ファイルにおける連結位置を検出するための処理を開始し、前記所定の動画ファイルにおける前記連結位置に続いて前記所定時間分の動画データが再生されるように前記記録手段により前記所定の動画ファイルに前記所定時間分の動画データを追加させることを特徴とする動画記録装置。
【請求項２】
前記制御手段は、前記記録手段が前記所定時間分の動画データの記録を開始した後、前記所定時間分の動画データの記録が完了する前に、前記所定の動画ファイルにおける結合位置を検出するための処理を開始することを特徴とする請求項１に記載の動画記録装置。
【請求項３】
前記連結位置は、前記所定の動画ファイルに格納された動画データの終端位置であることを特徴とする請求項１に記載の動画記録装置。
【請求項４】
前記記録手段は、所定のファイルシステムに従い前記動画ファイルを記録し、前記連結位置を検出するための処理は、前記所定のファイルシステムにおける前記所定の動画ファイルの終端のクラスタ番号を検出する処理を含むことを特徴とする請求項１に記載の動画記録装置。
【請求項５】
前記取得手段は更に、前記記録の指示に応じて静止画データを取得し、
前記制御手段は、前記記録の指示に応じて前記取得手段により取得された前記静止画データを含む静止画ファイルを前記記録媒体に記録するように前記記録手段を制御することを特徴とする請求項１に記載の動画記録装置。
【請求項６】
前記制御手段は、前記記録の指示の前の記録待機状態において、直前の前記所定時間分の動画データを順次前記メモリに記憶させ、前記記録の指示に応じて、前記メモリに記憶された前記記録の指示の直前の前記所定時間分の動画データを前記記録媒体に記録するように前記記録手段を制御することを特徴とする請求項１に記載の動画記録装置。
【請求項７】
撮像手段を用いて動画データを取得し、前記動画データを含む動画ファイルを記録手段により記録媒体に記録する記録方法であって、
前記動画データを順次メモリに記憶させ、記録の指示に応じて、前記記録の指示の前に前記メモリに記憶された所定時間分の前記動画データを前記記録媒体に記録するとともに、前記記録媒体に記録済みの所定の動画ファイルに前記所定時間分の動画データを追加し、
前記メモリに記憶された前記所定時間分の動画データの記録を開始した後、前記所定の動画ファイルにおける連結位置を検出するための処理を開始し、前記所定の動画ファイルにおける前記連結位置に続いて前記所定時間分の動画データが再生されるように前記所定の動画ファイルに前記所定時間分の動画データを追加することを特徴とする記録方法。
【手続補正２】
【補正対象書類名】明細書
【補正対象項目名】０００６
【補正方法】変更
【補正の内容】
【０００６】
このような目的を達成するために、本発明の動画記録装置は、撮像手段を用いて動画データを取得する取得手段と、メモリと、動画データを含む動画ファイルを記録媒体に記録する記録手段と、前記取得手段により得られた動画データを順次前記メモリに記憶させ、記録の指示に応じて、前記記録の指示の前に前記メモリに記憶された所定時間分の前記動画データを前記記録媒体に記録するとともに、前記記録媒体に既に記録されている所定の動画ファイルに前記所定時間分の動画データを追加するように前記記録手段を制御する制御手段とを備え、前記制御手段は、前記記録手段が前記メモリに記憶された前記所定時間分の動画データの記録を開始した後、前記所定の動画ファイルにおける連結位置を検出するための処理を開始し、前記所定の動画ファイルにおける前記連結位置に続いて前記所定時間分の動画データが再生されるように前記記録手段により前記所定の動画ファイルに前記所定時間分の動画データを追加させる。
【手続補正３】
【補正対象書類名】明細書
【補正対象項目名】０００８
【補正方法】変更
【補正の内容】
【０００８】
【図１】実施例１の撮像装置の構成を示す図である。
【図２】ムービーダイジェストモードの撮像装置の制御を示すフロー図である。
【図３】ムービーダイジェストモードで記録される静止画ファイル、動画ファイルの状態を説明するための図である。
【図４】動画データを連結（追記）する処理の制御を示すフロー図である。
【図５】動画データの連結（追記）による動画ファイルの状態変化を示す図である。
【手続補正４】
【補正対象書類名】明細書
【補正対象項目名】００３６
【補正方法】変更
【補正の内容】
【００３６】
電源が供給されると、制御部１０１は、例えば、操作部１０２のモード切り換えスイッチが、例えば、「静止画撮影モード」、「動画撮影モード」、「再生モード」、「ムービーダイジェストモード」等のどのモードであるかを操作部１０２からの指示信号により確認する。
【手続補正５】
【補正対象書類名】明細書
【補正対象項目名】００３７
【補正方法】変更
【補正の内容】
【００３７】
「静止画撮影モード」では、撮像装置１００は撮影待機状態でユーザが操作部１０２の静止画記録ボタンを操作することで撮影を行い、静止画ファイルが記録媒体１４１に記録される。そして再び撮影待機状態になる。「動画撮影モード」では、撮像装置１００は撮影待機状態でユーザが操作部１０２の動画記録開始ボタンを操作することで撮影を開始し、その間、動画データと音声データとが記録媒体１４１に記録される。そしてユーザが操作部１０２の動画記録終了ボタンを操作することで撮影を終了し、記録媒体１４１に記録していた動画データと音声データとを動画ファイルとして完成させる。その後、再び撮影待機状態になる。「再生モード」では、ユーザが選択したファイルに関する静止画ファイルや動画ファイルを記録媒体１４１から再生して、静止画や、動画、音声を出力する。「ムービーダイジェストモード」については、後述する。
【手続補正６】
【補正対象書類名】明細書
【補正対象項目名】００６２
【補正方法】変更
【補正の内容】
【００６２】
次に、「ムービーダイジェストモード」について、図２のフロー図を用いて説明する。図２のフロー図は、ムービーダイジェストモードに設定されたときをスタートとするフロー図であり、制御部１０１が撮像装置１００の各部を制御することにより、実行される処理である。なお、本実施形態において、動画データを順次追記していくか否かは、静止画記録の指示があった後で、動画データを記録媒体１４１に記録する前に行うものとする。これは、制御部１０１が、記録再生部１４０より、最後にムービーダイジェストモードで撮影された動画ファイルを読み出して撮影された日付の情報を確認する。そして、読み出された動画ファイルが当日に撮影されたものであれば、追記するものとし、異なる日に撮影されたものであれば、追記しないものとする。ムービーダイジェストモードにおいて撮影された動画は、たとえばムービーダイジェストモードで撮影された動画であることを示すための識別子「ＭＤＧ」に４桁の整数を順次数字をインクリメントしたファイル名とする。このようにすることで、記録媒体１１１に記録されている識別子ＭＤＧを含む数字のもっとも大きい動画が最後に撮影されたものであることが容易に識別可能である。追記するか否かの条件については後述するが、追記するか否かの確認は、撮像装置１００の起動時または、ムービーダイジェストモードへの切り替え時等に行ってもよい。
【手続補正７】
【補正対象書類名】明細書
【補正対象項目名】００６４
【補正方法】変更
【補正の内容】
【００６４】
操作部１０２によりムービーダイジェストモードが設定されると、制御部１０１は、撮像装置１００の各ブロックを制御し、以下の動作を実行させる。
【手続補正８】
【補正対象書類名】明細書
【補正対象項目名】００７１
【補正方法】変更
【補正の内容】
【００７１】
また、Ｓ２０５で静止画撮影の指示が入力されたときに、メモリ１０４に例えば１秒未満や２秒未満等の短い時間分の動画データしか記憶されていない場合には、静止画撮影の指示を無効とするようにしても良い。この時間もユーザが設定できるようにしても良い。
【手続補正９】
【補正対象書類名】明細書
【補正対象項目名】００７６
【補正方法】変更
【補正の内容】
【００７６】
以上のように、本実施例の撮像装置１００は、「ムービーダイジェストモード」において、動画ファイルと、静止画ファイルを記録する。
【手続補正１０】
【補正対象書類名】明細書
【補正対象項目名】００７７
【補正方法】変更
【補正の内容】
【００７７】
ここで、本実施例の「ムービーダイジェストモード」において、記録媒体１４１に既に記録されている動画ファイル（既存動画ファイル）の動画データに対して、新たに撮影された動画データ（新規動画データ）を連結（追記）する場合の例について説明する。たとえば、既存動画ファイルの記録された日付と、新規動画データの取得した日付（撮影時点でのカメラの日付設定でも良い）とが同じ場合には、動画データを連結するものとすると、図３に示すように記録される。図３は、撮影タイミングと、動画ファイル、静止画ファイルの記録状態を示すものである。
【手続補正１１】
【補正対象書類名】明細書
【補正対象項目名】００８０
【補正方法】変更
【補正の内容】
【００８０】
次に、「ムービーダイジェストモード」において、記録媒体１４１に既に記録されている動画ファイル（既存動画ファイル）の動画データに対して、新たに撮影された動画データ（新規動画データ）を連結（追記）する編集を行う場合の動作について詳しく説明する。前述したように、連結（追記）するか否かの判定は、撮像装置１００の起動時または、ムービーダイジェストモード選択時、または、静止画記録の指示が入力された後に行う。
【手続補正１２】
【補正対象書類名】明細書
【補正対象項目名】００９８
【補正方法】変更
【補正の内容】
【００９８】
・追記対象のファイルが無い場合
ムービーダイジェストモードで撮影された動画には、ファイル名として、「ＭＤＧ＿０００Ｘ．ＭＯＶ」という、ＭＤＧという識別子と通し番号４桁が付加されるようになっている。しかし、ファイル名に「ＭＤＧ」を含む識別子の動画がない場合には、ムービーダイジェストモードで撮影された動画ファイルが存在しないので、追記不可能とする。また、撮像装置１００の不図示の不揮発性メモリに最後にムービーダイジェストモードで記録した動画ファイルのファイル名を記録させておき、そのファイルが存在しない場合にも、追記不可能とする。
【手続補正１３】
【補正対象書類名】明細書
【補正対象項目名】００９９
【補正方法】変更
【補正の内容】
【００９９】
・追記対象の動画ファイルの撮影日が撮像装置に設定された日と異なる場合
ムービーダイジェストモードで同一撮影日に撮影された動画データを順次追記する場合には、日付の変更に伴って、別の動画ファイルを記録することになるので、追記不可能とする。
【手続補正１４】
【補正対象書類名】明細書
【補正対象項目名】０１００
【補正方法】変更
【補正の内容】
【０１００】
・追記対象の動画ファイルに関連づけられた地域設定が撮像装置に設定された地域と異なる場合
ムービーダイジェストモードで同一地域で撮影された動画データを順次追記する場合には、地域の変更に伴って、別の動画ファイルを記録することになるので、追記不可能とする。たとえば地域情報は、ＧＰＳユニットを用いて、得られた位置情報を用いても良いし、撮像装置の時計の設定時に選択する、「国」の情報を用いても良い。
【手続補正１５】
【補正対象書類名】明細書
【補正対象項目名】０１０１
【補正方法】変更
【補正の内容】
【０１０１】
・追記対象の動画ファイルに関連づけられた撮像装置の情報が、新規動画データを撮影する撮像装置と異なる場合
同一の撮像装置で、ムービーダイジェストモードで撮影された動画データのみを追記する場合には、記録媒体に記録された追記対象の動画ファイルに関連づけられた撮像装置の識別情報が、撮影を行う撮像装置と一致するかを確認する。そして、異なる場合には追記不可とする。